(57)【要約】【課題】２段のスイッチのオンオフ状態の切り換え安定性に優れ、また最終段のスイッチのオンオフ状態を切り換えた後にさらにスイッチを押し込む力が加えられてもスイッチが破壊されることのない押圧式２段スイッチを提供すること。【解決手段】押圧式２段スイッチ１は、回転体１２０と、回転体１２０の回転角度に応じてスイッチのオンオフ状態が２段階に切り換わる検出部（スイッチパターン１９３，１９５，１９７及び摺動子１７０）と、回転体１２０の上部に上下動自在に設置される押圧部材１０とを具備する。回転体１２０には、回転体１２０の回転方向に向かって傾斜する当接摺動面１３３を設ける。押圧部材１０には、当接摺動面１３３上を押圧しながら摺動することで回転体１２０を回転させる押圧部１７を設ける。押圧部材１０の押圧動作を回転体１２０の回転動作に変換し、回転体１２０の回転角度に応じてスイッチのオンオフ状態を２段階に切り換える。【選択図】図２
2014229365.tif 000002
【特許請求の範囲】
【請求項１】
回転体と、
前記回転体の回転角度に応じてスイッチのオンオフ状態が複数段階に切り換わる検出部と、
前記回転体の上部に上下動自在に設置される押圧部材と、を具備し、
前記回転体に、この回転体の回転方向に向かって傾斜する当接摺動面を設け、
一方前記押圧部材に、前記回転体の当接摺動面上を押圧しながら摺動することで前記回転体を回転させる押圧部を設けたことを特徴とする押圧式多段スイッチ。
【請求項２】
請求項１に記載の押圧式多段スイッチであって、
前記回転体の当接摺動面とこの当接摺動面に当接する押圧部材の押圧部は複数組あり、それぞれの組が回転体の回転軸に対して点対称の位置に設置されていることを特徴とする押圧式多段スイッチ。
【請求項３】
請求項１に記載の押圧式多段スイッチであって、
前記回転体の当接摺動面は、回転体の回転方向に向かって傾斜していると同時に、回転体の回転軸から半径方向外方に向かって高くなるように傾斜していることを特徴とする押圧式多段スイッチ。
【請求項４】
請求項１に記載の押圧式多段スイッチであって、
前記押圧式多段スイッチはさらに、前記回転体を回転方向に自動復帰させる回転体復帰バネを具備することを特徴とする押圧式多段スイッチ。
【請求項５】
請求項１に記載の押圧式多段スイッチであって、
前記押圧式多段スイッチはさらに、前記回転体を回転自在に軸支する基台を具備し、
前記基台には、
前記押圧部材を上方向に自動復帰させる押圧部材復帰バネと、
前記押圧部材復帰バネの弾発力に抗して押圧部材を押し下げて一段目のスイッチのオンオフ状態が切り替わった際に当接して前記押圧部材の押し下げ抵抗力を高める第二押圧部材復帰バネと、が設置されていることを特徴とする押圧式多段スイッチ。
【請求項６】
請求項５に記載の押圧式多段スイッチであって、
前記基台には、前記第二押圧部材復帰バネを収納する収納部を設け、前記収納部の周囲を囲む位置に前記押圧部材復帰バネを設置することを特徴とする押圧式多段スイッチ。
【請求項７】
請求項５に記載の押圧式多段スイッチであって、
前記押圧部材の押圧部は、前記基台に設けた挿通部に挿通されて上下動自在に支持されることを特徴とする押圧式多段スイッチ。
【発明の詳細な説明】
【技術分野】
【０００１】
本発明は、押圧式多段スイッチに関するものである。
【背景技術】
【０００２】
従来の押圧式２段スイッチとして、例えば特許文献１に示すように、キートップ（５０）を押圧すると、まず１段目のスイッチである第１押圧スイッチ（１７）がオンし、さらにキートップ（５０）を押圧すると２段目のスイッチである第２押圧スイッチ（９３）がオンする構造のものがある。
【先行技術文献】
【特許文献】
【０００３】
【特許文献１】特開２００７−１７３０９４号公報
【発明の概要】
【発明が解決しようとする課題】
【０００４】
しかしながら上記特許文献１に記載の押圧式２段スイッチには、以下のような問題があった。
（１）上記押圧式２段スイッチの１段目の第１押圧スイッチ（１７）は、いわゆるメンブレンスイッチで構成されているため、この第１押圧スイッチ（１７）がキートップ（５０）によって押圧されたとき、その力の加減や向きなどによって、オンした両スイッチ接点パターン（１３，２３）間の抵抗値が大きく異なり、その接触安定性に欠ける恐れがあった。
【０００５】
（２）また上記押圧式２段スイッチの２段目の第２押圧スイッチ（９３）は、弾性金属板製の反転板（９３ｃ）の反転によってスイッチがオンする構造なので、この２段目のスイッチがオンした後もその余力によってキートップ（５０）を押し込むように力を加えてしまう場合があった。そしてこの動作を繰り返していると、最終的に反転板（９３ｃ）が破壊されてしまう恐れがあった。
【０００６】
本発明は上述の点に鑑みてなされたものでありその目的は、各段のスイッチのオンオフ状態の切り換え安定性に優れ、また最終段のスイッチのオンオフ状態を切り換えた後にさらにこのスイッチを押し込む力が加えられてもスイッチが破壊されることのない押圧式多段スイッチを提供することにある。
【課題を解決するための手段】
【０００７】
本発明にかかる押圧式多段スイッチは、回転体と、前記回転体の回転角度に応じてスイッチのオンオフ状態が複数段階に切り換わる検出部と、前記回転体の上部に上下動自在に設置される押圧部材と、を具備し、前記回転体に、この回転体の回転方向に向かって傾斜する当接摺動面を設け、一方前記押圧部材に、前記回転体の当接摺動面上を押圧しながら摺動することで前記回転体を回転させる押圧部を設けて構成されている。
即ち、押圧部材の押圧動作（直線動作）を回転体の回転動作に変換し、回転体の回転角度に応じてスイッチのオンオフ状態を複数段階に切り換える構成なので、検出部としてスライド式の検出手段（スイッチパターン上を摺動子が摺接する検出手段など）を用いることができ、各段のスイッチのオンオフ状態の切り換え安定性を向上させることができる。また最終段のスイッチのオンオフ状態を切り換えた後にさらに押圧部材を押し込む力を加えても（オーバーストロークさせようとする力）、その力は検出手段には印加されないので、最終段のスイッチが押圧部材の押圧力によって破壊されることを確実に防止できる。
【０００８】
また本発明は、前記回転体の当接摺動面とこの当接摺動面に当接する押圧部材の押圧部が複数組あり、それぞれの組が回転体の回転軸に対して点対称の位置に設置されていることが好ましい。
これによって、押圧部材を押圧した際、バランス良く回転体を回転させることができる。
【０００９】
また本発明は、前記回転体の当接摺動面が、回転体の回転方向に向かって傾斜していると同時に、回転体の回転軸から半径方向外方に向かって高くなるように傾斜していることが好ましい。
このように、回転体の当接摺動面を、回転体の回転軸から半径方向外方に向かって高くなるように傾斜させれば、押圧部材の押圧部が回転体の当接摺動面を押圧した際に、真下方向に向かう押圧力を半径方向外方に向かう力に分散でき、これによって回転体を下方向に押し下げる力が減少し、回転体の回転動作をよりスムーズに行わせることが可能になる。
【００１０】
また本発明は、前記押圧式多段スイッチがさらに、前記回転体を回転方向に自動復帰させる回転体復帰バネを具備することが好ましい。
これによって、回転体を確実に元の位置（押圧部材が最も上昇する位置）に自動復帰させることができる。
【００１１】
また本発明は、前記押圧式多段スイッチがさらに、前記回転体を回転自在に軸支する基台を具備し、前記基台に、前記押圧部材を上方向に自動復帰させる押圧部材復帰バネと、前記押圧部材復帰バネの弾発力に抗して押圧部材を押し下げて一段目のスイッチのオンオフ状態が切り替わった際に当接して前記押圧部材の押し下げ抵抗力を高める第二押圧部材復帰バネと、を設置することが好ましい。
このように基台を設置すれば、回転体を確実に回転自在に軸支でき、また押圧部材復帰バネと第二押圧部材復帰バネの両者を容易に設置できる。また押圧部材復帰バネと第二押圧部材復帰バネを設置しているので、一段目のスイッチのオンオフ状態が切り替わり、さらに二段目のスイッチのオンオフ状態を切り換えようと押圧部材をさらに押圧した際はその押圧力が大きくなり、容易に二段目のスイッチの押圧状態に入ったことを認識できる。
【００１２】
また本発明は、前記基台に、前記第二押圧部材復帰バネを収納する収納部を設け、前記収納部の周囲を囲む位置に前記押圧部材復帰バネを設置することが好ましい。
これによって、基台にコンパクトに、押圧部材復帰バネと第二押圧部材復帰バネとを収納、設置することができる。
【００１３】
また本発明は、前記押圧部材の押圧部が、前記基台に設けた挿通部に挿通されて上下動自在に支持されることが好ましい。
これによって、押圧部材の上下動を、押圧部材が回転することなく、スムーズに行わせることができる。
【発明の効果】
【００１４】
本発明によれば、各段のスイッチのオンオフ状態の切り換え安定性が向上する。また最終段のスイッチのオンオフ状態を切り換えた後にさらにこのスイッチを押し込む力を加えても、最終段のスイッチが押圧部材の押圧力によって破壊されることを確実に防止できる。
【図面の簡単な説明】
【００１５】
【図１】押圧式多段スイッチ（押圧式２段スイッチ）１の斜視図である。
【図２】押圧式２段スイッチ１の分解斜視図である。
【図３】押圧式２段スイッチ１を下側から見た分解斜視図（但し、回路基板１９０と取付台２１０の記載は省略）である。
【図４】押圧式２段スイッチ１の断面図である。
【図５】押圧式２段スイッチ１の動作説明図である。
【図６】押圧式２段スイッチ１の動作説明図である。
【図７】押圧式２段スイッチ１における当接摺動面１３３の断面状態を示す図であり、図７（ａ）は半径方向の断面状態、図７（ｂ）は回転方向の断面状態を示す図である。
【図８】回転体１２０Ａに設けた当接傾斜面１３３Ａの断面状態を示す図であり、図８（ａ）は半径方向の断面状態、図８（ｂ）は回転方向の断面状態を示す図である。
【図９】押圧式２段スイッチ１−２の断面図である。
【図１０】回転体１２０−２の平面図である。
【発明を実施するための形態】
【００１６】
以下、本発明の実施形態を図面を参照して詳細に説明する。図１は本発明の一実施形態に係る押圧式多段スイッチ（以下「押圧式２段スイッチ」という）１の斜視図、図２は押圧式２段スイッチ１の分解斜視図、図３は押圧式２段スイッチ１を下側から見た分解斜視図（但し、回路基板１９０と取付台２１０の記載は省略）、図４は押圧式２段スイッチ１の断面図（図１のＡ−Ａ断面図）である。なお以下の説明において、「上」とは下記する回転体１２０から下記する押圧部材１０を見る方向をいい、「下」とはその反対方向をいうものとする。また回転体１２０の回転中心軸を、回転軸Ｌ１（図２参照）という。
【００１７】
図１〜図４に示すように押圧式２段スイッチ１は、取付台２１０上に、回路基板（以下「フレキシブル回路基板」という）１９０と、摺動子１７０及び回転体復帰バネ１１０を取り付けた回転体１２０と、押圧部材復帰バネ４０及び第２押圧部材復帰バネ１００を取り付けた基台５０と、押圧部材１０と、を設置して構成されている。
【００１８】
押圧部材１０は、合成樹脂の一体成形品であり、略円板状の操作部１１の下面中央から下方向に向かって略六角形の筒状の軸部１３を突出して構成されている。軸部１３の内部はバネ挿入部１４となっている。操作部１１の１８０°対向する位置には半径方向外方に向けて略矩形状に突出する押圧部基部１５が設けられ、各押圧部基部１５の下面からは真下方向に向かって突出する円形で柱状の押圧部１７が設けられている。押圧部１７の先端は、半球面状に形成されている。軸部１３の１８０°対向する側壁には、その両側に下端が解放されて上下方向に向かうスリット１９を設けることで、係止爪２１が形成されている。係止爪２１は厚み方向に撓む。係止爪２１の下端辺には、外方向に突出する爪部２３が形成されている。両係止爪２１を結ぶ方向と、両押圧部１７を結ぶ方向は、回転方向に９０°ずれている。前記軸部１３内の操作部１１下面には、略長方形状に突出するバネ押圧部２５が設けられている。バネ押圧部２５の長手方向は、前記両係止爪２１を結ぶ方向を向いている。
【００１９】
押圧部材復帰バネ４０は圧縮コイルバネであり、前記押圧部材１０の軸部１３内に挿入され、且つその内径寸法が前記バネ押圧部２５の長さ寸法よりも長く形成されている。言い換えれば、押圧部材復帰バネ４０は、これをバネ挿入部１４内に挿入した際に、その端部が操作部１１の下面に当接し、内側にバネ押圧部２５が入り込む寸法に形成されている。
【００２０】
基台５０は合成樹脂の一体成形品であり、略円板状の本体部５１の下面中央から有底筒状の軸部５３を突出して形成されている。軸部５３の外周形状は略円形であり、下記する回転体１２０の軸支部１２２に回動自在に挿入される寸法に形成されている。軸部５３の上面側の凹部は軸受部５５となっていて、その内周形状は略六角形で、前記押圧部材１０の軸部１３をほぼぴったり上下動自在に回転することなく収納する寸法に形成されている。この軸受部５５はバネ挿入部を兼用している。軸部５３の１８０°対向する側壁部分には、矩形状に切り欠いた形状の孔からなる一対の爪係止部５７が形成されている。爪係止部５７は、前記押圧部材１０に設けた係止爪２１の爪部２３を上下動自在に係止する寸法形状に形成されている。軸受部５５の底面中央からは、略円柱状で天井面６３を有するバネ支持突部５９が上方向に向かって突出している。バネ支持突部５９は、前記押圧部材復帰バネ４０の内周側をほぼぴったり挿入できる外形寸法に形成されている。またバネ支持突部５９の下面側には、下記する第２押圧部材復帰バネ１００の外周側を略ぴったり収納する収納部６１が形成されている。バネ支持突部５９の上面には天井面６３があるが、この天井面６３にはこれを横切るようにスリット状のバネ押圧部挿入部６５が設けられている。バネ押圧部挿入部６５は、天井面６３から所定寸法だけ収納部６１内に入り込む深さに形成されており、また前記押圧部材１０のバネ押圧部２５を略ぴったり挿入できる幅寸法に形成されている。軸部５３の下面からは４本の小突起状の取付部６７が、収納部６１の周囲を等間隔に囲むように突出している。
【００２１】
基台５０の本体部５１の前記軸部５３よりも外側の、回転軸Ｌに対して１８０°対向する位置には、前記押圧部材１０の押圧部１７を上下動自在にほぼぴったり挿入する円形の孔からなる挿通部６９が形成されている。また本体部５１の下面の軸部５３の周囲の位置には、一対のバネ係止部７１が突出している。両バネ係止部７１の間には、下記する回転体復帰バネ１１０が配置される。また本体部５１の下面外周の所定位置には、円弧状に突出する支持突起７３が設けられている。支持突起７３は、下記する回転体１２０の摺動子取付部１２３の上面に当接又は接近して配置され、摺動子取付部１２３が浮き上がるのを防止する。
【００２２】
第２押圧部材復帰バネ１００は圧縮コイルバネであり、前記基台５０の収納部６１内に挿入される。回転体復帰バネ１１０も圧縮コイルバネであり、下記する回転体１２０のバネ収納凹部１２９内に挿入される。
【００２３】
回転体１２０は合成樹脂の一体成形品であり、円筒状に形成された回転体本体部１２１の中央に円形の孔からなる軸支部１２２を設け、また回転体本体部１２１の外周側面の、１８０°対向する位置から、摺動子取付部１２３とバネ収納部１２５とを突出して設け、一方これらとは回転方向に９０°異なる位置であって１８０°対向する位置から、一対の当接摺動面形成部１２７を突出して設けて構成されている。摺動子取付部１２３は、回転体本体部１２１の外周側面の下部から略矩形状に突出し、その下面に下記する摺動子１７０を取り付けるための小突起からなる４つの取付突起１２４を突出して構成されている。バネ収納部１２５は、回転体本体部１２１の外周側面の下部から突出し、その上面側に前記第２押圧部材復帰バネ１００を円弧状に収納するバネ収納凹部１２９を設け、バネ収納凹部１２９の長手方向の両端に、前記基台５０に設けたバネ係止部７１を挿入、配置する挿入溝１３１を設けて構成されている。
【００２４】
両当接摺動面形成部１２７は何れも、回転体本体部１２１の外周側面の下部から略矩形状に突出し、その上面に当接摺動面１３３を形成して構成されている。図７（ａ），（ｂ）は、当接摺動面１３３の断面の状態を示しており、図７（ａ）は半径方向（回転軸Ｌ１を中心とする半径方向）での断面の状態、図７（ｂ）は回転方向（回転軸Ｌ１を中心とする回転方向）での断面の状態を示している。図２及び図７（ａ），（ｂ）に示すように、当接摺動面１３３は、回転体１２０の回転方向に向かって傾斜していると同時に、回転体１２０の回転軸Ｌから半径方向外方に向かって高くなるように傾斜している。これら当接摺動面１３３は、前記基台５０の挿通部６９に対向する位置に設けられている。
【００２５】
摺動子１７０は、弾性金属板製であり、略矩形状の摺動子基部１７１の一辺から３本の弾接アーム１７３を突出し、それらを根元部分で折り返して摺動子基部１７１の下面側に位置し、それらの先端近傍部分に接点部１７５を設けて構成されている。摺動子基部１７１には前記回転体１２０の摺動子取付部１２３に設けた各取付突起１２４を挿入する取付孔１７７が形成されている。
【００２６】
フレキシブル回路基板１９０は、可撓性を有する合成樹脂フイルム製であり、その所定位置に４つの取付孔１９１を設け、またその上面の所定位置に３本の円弧状の抵抗値の低い導体パターンからなるスイッチパターン１９３，１９５，１９７を形成して構成されている。これらスイッチパターン１９３，１９５，１９７は導電ペーストの印刷や、銅箔のエッチングなどによって形成される。４つの取付孔１９１は前記基台５０の４つの取付部６７に対向する位置に、これらを挿入できる内径寸法で形成されている。３本のスイッチパターン１９３，１９５，１９７は、それぞれ前記摺動子１７０の接点部１７５を摺接させる位置に円弧状に形成されており、最も内側のスイッチパターン１９３がコモンパターン、中央のスイッチパターン１９５が１段目のスイッチをオンするスイッチパターン、最外周のスイッチパターン１９７が２段目のスイッチをオンするスイッチパターンとなっている。
【００２７】
取付台２１０は、硬質の合成樹脂又は金属製の板で構成されており、前記フレキシブル回路基板１９０を支える形状に形成されている。そして前記フレキシブル回路基板１９０の各取付孔１９１に対向する位置にはこれら取付孔１９１と略同一形状の取付孔２１１が形成されている。
【００２８】
押圧式２段スイッチ１を組み立てるには、まず予め回転体１２０の摺動子取付部１２３の下面に摺動子１７０の摺動子基部１７１を設置し、その際、各取付突起１２４を各取付孔１７７に挿入する。そして取付突起１２４を熱かしめすることで固定する。
【００２９】
そして、前記押圧部材１０のバネ挿入部１４内に押圧部材復帰バネ４０を収納し、次に押圧部材１０の軸部１３を基台５０の軸受部５５に上下動自在に挿入し、同時に押圧部材１０の両押圧部１７をそれぞれ基台５０の両挿通部６９に挿入する。そして押圧部材１０の両係止爪２１の爪部２３を、基台５０の両爪係止部５７内に挿入・係合する。これによって爪部２３は爪係止部５７内に上下動自在に入り込み、基台５０に対して押圧部材１０が所定距離だけ上下動自在に且つ抜けることなく保持される。さらにこのとき、押圧部材１０と基台５０間は、押圧部材復帰バネ４０の圧縮による弾発力により、爪部２３が爪係止部５７の上端辺に係止される位置まで、引き離される。言い換えれば、押圧部材１０は基台５０に対して上方向に弾発され、最上位置に保持される。またこのとき押圧部材復帰バネ４０内にはバネ支持突起５９が挿入され、押圧部材復帰バネ４０を軸支している。
【００３０】
次に基台５０の収納部６１内に第２押圧部材復帰バネ１００を挿入し、次に回転体復帰バネ１１０を回転体１２０のバネ収納凹部１２９内に収納し、この回転体１２０を基台５０の下側に配置し、その際基台５０の軸部５３を回転体１２０の軸支部１２２に回転自在に挿入する。このとき基台５０に設けた一対のバネ係止部７１が回転体１２０の挿入溝１３１内に挿入されて回転体復帰バネ１１０の両端に当接し、また図４に示すように、回転体１２０の両当接摺動面１３３にそれぞれ押圧部材１０の押圧部１７の先端近傍部分が当接する。
【００３１】
そして回転体１２０を取り付けた基台５０の下側に、フレキシブル回路基板１９０と取付台２１０を設置し、その際基台５０に設けた４本の取付部６７をフレキシブル回路基板１９０の取付孔１９１と取付台２１０の取付穴２１１に挿入し、取付台２１０の下面側で各取付部６７の先端を熱かしめする。これによって押圧式２段スイッチ１の組み立てが完了する。なお上記組立手順はその一例であり、他の各種異なる組立手順を用いて組み立てても良いことはいうまでもない。
【００３２】
このとき摺動子１７０の１列に並んだ接点部１７５は、図２に示す一点鎖線Ｓ０の位置にあり、つまりスイッチパターン（コモンパターン）１９３のみに導通している。つまりスイッチはオフの状態にある。なお、スイッチパターン１９３，１９５，１９７と摺動子１７０を合わせて、回転体１２０の回転角度に応じてスイッチのオンオフ状態を切り換える検出部ということとする。またこのとき第２押圧部材復帰バネ１００はその下面がフレキシブル回路基板１９０の上面に支えられ、収納部６１内の天井面６３の下面を弾発している。
【００３３】
次に押圧式２段スイッチ１の動作を説明する。まず押圧部材１０に何ら外力を加えていない状態では、図４に示すように、押圧部材１０は押圧部材復帰バネ４０によって最も上方に位置するように弾発されている。同時にこのとき押圧部１７の先端近傍部分は、回転体１２０の当接摺動面１３３の上方位置に当接し、前述のように摺動子１７０の接点部１７５の位置は一点鎖線Ｓ０上にあり、スイッチはオフ状態となっている。
【００３４】
この状態から押圧部材１０を真下方向（図５の矢印Ｅ１方向）に押圧すると、押圧部材復帰バネ４０の弾発力（及び回転体復帰バネ１１０の弾発力）に抗して押圧部材１０が下降し、その際に両押圧部１７の先端近傍部分がそれぞれ回転体１２０の両当接摺動面１３３を押圧する。そして両押圧部１７の先端近傍部分は、当接摺動面１３３上をその円周方向の傾斜に沿うように摺動しながら下降し、同時に回転体１２０を回転させる。回転体１２０の回転によって回転体復帰バネ１１０は圧縮される。これによって摺動子１７０の接点部１７５が回転し、接点部１７５が図２に示す一点鎖線Ｓ１の位置まで移動することで、スイッチパターン１９３とスイッチパターン１９５間が導通し、１段目のスイッチがオンする。このとき押圧部材１０は図５に示す位置まで下降し、押圧部材１０のバネ押圧部２５の先端が基台５０のバネ押圧部挿入部６５に入り込み、第２押圧部材復帰バネ１００の上端面に当接する。
【００３５】
ところでこの押圧式２段スイッチ１の場合、回転体１２０の当接摺動面１３３とこの当接摺動面１３３に当接する押圧部材１０の押圧部１７を２組設け、それぞれの組を回転体１２０の回転軸Ｌ１に対して点対称の位置に設置したので、押圧部材１０を押圧した際、バランス良く回転体１２０を回転させることができる。
【００３６】
次に図５に示す状態から押圧部材１０をさらに真下方向（矢印Ｅ１方向）に押圧すると、押圧部材復帰バネ４０と第２押圧部材復帰バネ１００の両者の弾発力に抗して押圧部材１０が下降し、その際にさらに両押圧部１７がそれぞれ回転体１２０の両当接摺動面１３３を押圧し、当接摺動面１３３の円周方向の傾斜に沿うように押圧部１７の当接点が当接摺動面１３３上を摺動しながら下降し、同時に回転体１２０を回転させる。これによって摺動子１７０の接点部１７５がさらに回転し、接点部１７５が図２に示す一点鎖線Ｓ２の位置まで移動することで、スイッチパターン１９３とスイッチパターン１９５とスイッチパターン１９７間を導通し、２段目のスイッチがオンする。このとき押圧部材１０は図６に示す位置まで下降し、押圧部材１０のバネ押圧部２５が基台５０のバネ押圧部挿入部６５内にさらに入り込む。
【００３７】
このようにこの押圧式２段スイッチ１においては、押圧部材復帰バネ４０と第二押圧部材復帰バネ１００を設置しているので、所定の押圧力で押圧部材１０を押圧して一段目のスイッチのオンオフ状態が切り替わり、さらに二段目のスイッチのオンオフ状態を切り換えようとさらに押圧部材１０を押圧した際はその押圧力が大きくなり、容易に二段目のスイッチの押圧状態に入ったことを認識できる。
【００３８】
そしてこの例の場合、２段目のスイッチがオンした後も、さらに基台５０と押圧部材１０間の隙間分だけ、押圧部材１０を下降でき回転体１２０を回転できる。このようにこの押圧式２段スイッチ１は、押圧部材１０のオーバーストロークができる構造となっている。言い換えれば、押圧部材１０と基台５０の間に所定寸法の隙間を設けるだけで、容易にオーバーストロークさせることが可能となる。
【００３９】
一方前記押圧部材１０への押圧を解除していけば、押圧部材復帰バネ４０と第２押圧部材復帰バネ１００と回転体復帰バネ１１０の弾発力により、前記動作と逆の動作で押圧部材１０と回転体１２０が元の図４に示す状態に戻ってゆき、２段目のスイッチ、１段目のスイッチがこの順番でオフしてゆく。そして押圧部材１０はそれが最も上昇する位置で停止し、この押圧部材１０の押圧部１７に当接摺動面１３３が当接するように、回転体１２０も元の位置まで自動復帰する。
【００４０】
ここで前述のように、回転体１２０に設けた当接摺動面１３３は、図７（ｂ）に示すように回転体１２０の回転方向に向かって傾斜していると同時に、図７（ａ）に示すように回転体１２０の回転軸Ｌ１から半径方向外方に向かって高くなるように傾斜しているが、これは回転体１２０の回転動作をスムーズに行わせるためである。以下その理由について説明する。
【００４１】
図８（ａ），（ｂ）は、他の回転体１２０Ａに設けた当接傾斜面１３３Ａの例を示す図であり、図８（ａ）は半径方向（回転軸を中心とする半径方向）の断面の状態、図８（ｂ）は回転方向（回転軸を中心とする回転方向）の断面の状態を示している。即ち一般に、押圧動作を回転動作に変換する場合、回転体１２０Ａに設けた当接摺動面１３３Ａは、図８（ｂ）に示すように回転体１２０Ａの回転方向に向かって傾斜させると同時に、図８（ａ）に示すように回転体１２０Ａの回転軸から半径方向外方に向かっては水平に形成される。しかしながらこのように構成すると、押圧部１７Ａを押圧した際に、真下方向に向かう力の多くがそのまま回転体１２０Ａを真下に押し下げる力となる。このため、回転体１２０Ａを載置している部材（図４に示すフレキシブル回路基板１９０等）に回転体１２０Ａが押し付けられ、その分、回転体１２０Ａの回転動作がスムーズに行えなくなる恐れがある。
【００４２】
これに対して上記押圧式２段スイッチ１の場合は、回転体１２０の当接摺動面１３３を、回転体１２０の回転軸Ｌ１から半径方向外方に向かって高くなるように傾斜させたので、図７（ａ）に示すように押圧部１７を押圧した際に、真下方向に向かう力を半径方向外側に向かう力に分散できる。以上のことから回転体１２０を下方向に押し下げる力が減少し、その分、回転体１２０の回転動作をよりスムーズに行わせることができるのである。
【００４３】
以上説明したように、上記押圧式２段スイッチ１は、回転体１２０と、回転体１２０の回転角度に応じてスイッチのオンオフ状態が２段階に切り換わる検出部（摺動子１７０とスイッチパターン１９３，１９５，１９７）と、回転体１２０の上部に上下動自在に設置される押圧部材１０と、を具備し、回転体１２０に、この回転体１２０の回転方向に向かって傾斜する当接摺動面１３３を設け、一方押圧部材１０に、回転体１２０の当接摺動面１３３上を押圧しながら摺動することで回転体１２０を回転させる押圧部１７を設けて構成されている。つまり押圧部材１０の押圧動作（直線動作）を回転体１２０の回転動作に変換し、回転体１２０の回転角度に応じてスイッチのオンオフ状態を２段階に切り換える構成なので、検出部としてスイッチパターン１９３，１９５，１９７上を摺動子１７０が摺接するスライド式の検出手段を用いることができ、各段のスイッチのオンオフ状態の切り換え安定性を向上させることができる。即ち１段目のスイッチも２段目のスイッチも摺動子が摺接パターン上を摺動する構成なので、スイッチがオンした際の抵抗値が、押圧部材１０への押圧力の加減や押圧方向に影響されず、略一定に安定する。また最終段のスイッチのオンオフ状態を切り換えた後にさらに押圧部材１０を押し込む力を加えても、その力は検出手段には印加されないので、最終段のスイッチが押圧部材１０の押圧力によって破壊されることはない。
【００４４】
また上記押圧式２段スイッチ１によれば、基台５０に第二押圧部材復帰バネ１００を収納する収納部６１を設け、収納部６１の周囲を囲む位置に押圧部材復帰バネ４０を設置しているので、基台５０に押圧部材復帰バネ４０と第二押圧部材復帰バネ１００とをコンパクトに収納・設置することができる。
【００４５】
また上記押圧式２段スイッチ１によれば、押圧部材１０の押圧部１７を、基台５０に設けた挿通部６９に挿通して上下動自在に支持したので、押圧部材１０の上下動を、押圧部材１０が回転することなく、スムーズに行わせることができる。
【００４６】
図９は本発明の他の実施形態に係る押圧式２段スイッチ１−２の断面図である。また図１０はこの押圧式２段スイッチ１−２に用いる回転体１２０−２の平面図である。同図に示す押圧式２段スイッチ１−２において、前記図１〜図８に示す押圧式２段スイッチ１と同一又は相当部分には同一符号を付す（但し全てに添え字「−２」を付す）。なお以下で説明する事項以外の事項については、前記図１〜図８に示す実施形態と同じである。
【００４７】
この押圧式２段スイッチ１−２において前記押圧式２段スイッチ１と相違する点は、回転体１２０−２の構造と、回転体１２０−２の構造の変更に応じて変更された押圧部材１０−２と基台５０−２である。
【００４８】
即ち回転体１２０−２は、円筒状に形成された回転体本体部１２１−２の中央に円形の孔からなる軸支部１２２−２を設け、また回転体本体部１２１−２の外周側面の、１８０°対向する位置から、摺動子取付部１２３−２とバネ収納部１２５−２とを突出して設け、一方これらとは回転方向に９０°異なる位置であって回転本体部１２１−２の内周側の１８０°対向する位置に、一対の当接摺動面形成部１２７−２を設けて構成されている。つまり回転体１２０と相違する点は、当接摺動面形成部１２７−２を回転体１２０−２の内側に設けた点である。両当接摺動面形成部１２７−２の上面には当接摺動面１３３−２が形成されている。
【００４９】
このように当接摺動面形成部１２７−２を回転体１２０−２の内側に設けたので、これに合わせて押圧部材１０−２の押圧部１７−２の位置と、これら押圧部１７−２を挿入する基台５０−２の挿通部６９−２の位置とを変更している。このように押圧式２段スイッチ１−２を構成すれば、当接摺動面形成部１２７−２の位置や押圧部１７−２の位置を半径方向中央側に集められるので、押圧式２段スイッチ１−２全体の外形の小型化が図られる。
【００５０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記押圧式２段スイッチ１では、スイッチのオンオフ状態を２段階に切り替えるように構成したが、３段階以上に切り替えるように構成しても良い。そのような場合でもスイッチパターンを４本設けるなど、簡単な構成の変更で済む。また上記押圧式２段スイッチ１では、押圧部材１０を押し込むことで順次１段目、２段目のスイッチがオンするように構成したが、逆に、押圧部材１０を押し込むことで、順次１段目、２段目のスイッチがオフしていくように構成しても良い。このような構成も、スイッチパターン１９３，１９５，１９７の形状を変更することだけで容易に実現できる。また上記例では回転体１２０を自動復帰させるために回転体復帰バネ１１０を取り付けたが、例えば押圧部材１０と回転体１２０間が干渉するように構成する等して、押圧部材１０の押圧を解除した際に押圧部材１０の上昇に従って同時に回転体１２０が元の図４の状態に戻るように構成しておけば、回転体復帰バネ１１０は設けなくても良い。
【００５１】
また回転体、検出部、押圧部材、基台の構造に種々の変更が可能であることは言うまでもない。また当接摺動面は少なくとも回転体の回転方向に向かって傾斜する形状であればよく、必ずしも回転体の回転軸から半径方向外方に向かって高くなるように傾斜していなくてもよい（例えば図８（ａ），（ｂ）に示す当接摺動面１３３Ａでもよい）。また回転体の当接摺動面とこの当接摺動面に当接する押圧部材の押圧部は１組でも３組以上でも良い。複数組の場合は、上述のように、それぞれの組が回転体の回転中心軸に対して点対称の位置に設置されていることが好ましい。また上記例では回路基板としてフレキシブル回路基板１９０を用いたが、その代りに硬質の回路基板を用いても良い。その場合は取付台２１０は不要になる。
【符号の説明】
【００５２】
１  押圧式２段スイッチ（押圧式多段スイッチ）
１０  押圧部材
１７  押圧部
４０  押圧部材復帰バネ
５０  基台
６１  収納部
６９  挿通部
１００  第２押圧部材復帰バネ
１１０  回転体復帰バネ
１２０  回転体
１３３  当接摺動面
Ｌ１  回転軸
１７０  摺動子（検出部）
１９０  フレキシブル回路基板（回路基板）
１９３，１９５，１９７  スイッチパターン（導体パターン、検出部）
２１０  取付台
【図１】
2014229365.tif 000003
【図２】
2014229365.tif 000004
【図３】
2014229365.tif 000005
【図４】
2014229365.tif 000006
【図５】
2014229365.tif 000007
【図６】
2014229365.tif 000008
【図７】
2014229365.tif 000009
【図８】
2014229365.tif 000010
【図９】
2014229365.tif 000011
【図１０】
2014229365.tif 000012